(57)【要約】      （修正有）【課題】便利に組み立てることができる電子装置のパッケージケースを提供する。【解決手段】複数の第１の端子５２と、複数の第１の電子装置３が設置される第１の設置面５１４と、その反対側にある第１の接合面５１３と、第１の設置面５１４に隣接し、且つ各第１の端子５２により貫通されている第１の端子設置部５１２を有する第１の設置台５１とを備えている第１のケース体５と、複数の第２の端子４２と、第１の接合面５１４と向き合う第２の接合面４１３と、その反対側にあって複数の第２の電子装置２が設置される第２の設置面４１４と、第２の設置面４１４に隣接し、各第１の端子５２により挿通されていると共に、各第２の端子４２が取り付けられる第２の端子設置部４１２とを有する第２の設置台４１とを備えている第２のケース体４とを具える。【選択図】図４
0003198003.tif 000002
【実用新案登録請求の範囲】
【請求項１】
複数の第１の電子装置を設置することができる第１のケース体と、前記第１のケース体に取り付けられていると共に、複数の第２の電子装置を設置することができる第２のケース体とを具える電子装置のパッケージケースであって、
前記第１のケース体は、第１の設置台と、前記第１の設置台に取り付けられている複数の第１の端子を備えていると共に、
前記第１の設置台は、前記複数の第１の電子装置が設置されることができる第１の設置面と、前記第１の設置面の反対側にある第１の接合面と、前記第１の設置面に隣接し、且つ、前記第１の設置面側から前記第１の接合面側へ延伸する各前記第１の端子により貫通されている第１の端子設置部とを有しており、
前記第２のケース体は、第２の設置台と、前記２の設置台に取り付けられている複数の第２の端子を備えていると共に、
前記第２の設置台は、前記第１のケース体が有する前記第１の接合面と向き合う第２の接合面と、前記第２の接合面の反対側にあって前記複数の第２の電子装置が設置されることができる第２の設置面と、前記第２の設置面に隣接し、各前記第１の端子により挿通されていると共に、前記第２の設置面が向かっている側へ延伸する各前記第２の端子が取り付けられている第２の端子設置部とを有していることを特徴とする電子装置のパッケージケース。
【請求項２】
底板と、前記底板の周縁から前記底板の一面側へ突起する包囲壁とを有する収容手段を更に備え、
前記第１のケース体及び前記第１のケース体に取り付けられている前記第２のケース体は、
前記第１のケース体の前記第１の設置面が前記底板に向かい、且つ、各前記第１の端子及び第２の端子がそれぞれ前記包囲壁が突起する方向に向って延伸するように前記収容手段内に収容されていることを特徴とする請求項１に記載の電子装置のパッケージケース。
【請求項３】
前記第１のケース体の前記第１の設置台が有する前記第１の端子設置部は、前記第１の設置面が向っている側へ突起するように形成されており、
前記第２のケース体の前記第２の設置台が有する前記第２の端子設置部は、前記第２の設置面が向っている側へ突起するように形成されていることを特徴とする請求項１または請求項２に記載の電子装置のパッケージケース。
【請求項４】
前記第１の設置台の前記第１の端子設置部は、前記第１の設置面を左右から挟むように配置される第１の左接線面と第１の右接線面とを有し、
複数の前記第１の端子は、前記第１の左接線面と前記第１の右接線面とにそれぞれ二列となって該二列が互いに千鳥配列になるように前記第１の左接線面または前記第１の右接線面から突起するように取り付けられており、
前記第２の設置台の前記第２の端子設置部は、前記第２の設置面を左右から挟むように配置される第２の左接線面と第２の右接線面とを有し、
複数の前記第２の端子は、前記第２の左接線面と前記第２の右接線面とにそれぞれ二列となって該二列が互いに千鳥配列になるように前記第２の左接線面または前記第２の右接線面から突起するように取り付けられていることを特徴とする請求項１〜請求項３のいずれか一項に記載の電子装置のパッケージケース。
【考案の詳細な説明】
【技術分野】
【０００１】
本考案はパッケージケースに関し、特に、複数の電子装置を設置して収容することができる電子装置のパッケージケースに関する。
【背景技術】
【０００２】
図１と図２に示されたように、従来の電子装置のパッケージケース１は、複数の第１の電子装置１０を設置することができる第１のケース体１２と、複数の第２の電子装置１１を設置することができる第２のケース体１３とを含んでいる。各第１の電子装置１０は、第１の磁石リング１０１と、第１の磁石リング１０１に巻き付けられている第１の導線１０２を備えている。各第２の電子装置１１も、第２の磁石リング１１１と、第２の磁石リング１１１に巻き付けられている第２の導線１１２を備えている。
【０００３】
図示されているように、第１のケース体１２は、第１の設置台１２１と、第１の設置台１２１に取り付けられている複数の第１の端子１２２を備えている。第１の設置台１２１は、各第１の電子装置１０の第１の磁石リング１０１を設置することができる第１の設置面１２３と、各第１の磁石リング１０１を囲んで収容できるように第１の設置面１２３の周縁から突起する第１の周壁１２４と、を有している。また、第１の周壁１２４は、互いに平行する第１の左端壁１２４１と第１の右端壁１２４２とを具えており、該第１の左端壁１２４１と第１の右端壁１２４２とがそれぞれ有する、互いに対面していない２つの端面には、左延伸台１２５１と右延伸台１２５２がそれぞれ突起するように形成されている。そして左延伸台１２５１と右延伸台１２５２には、それぞれ複数の貫通孔１２６が設けられている。
【０００４】
各第１の端子１２２は、第１の設置面１２３と直交する方向で第１の左端壁１２４１と第１の右端壁１２４２とをそれぞれ貫通するように、第１の左端壁１２４１と第１の右端壁１２４２内にそれぞれ挿し込まれている第１の挿入部１２７と、第１の左端壁１２４１または第１の右端壁１２４２それぞれの第２のケース体１３に向かっている側に露出する第１の接線部１２８と、第１の設置面１２３の反対面に露出する第１の接続部１２９を有する。各第１の電子装置１０が有する第１の導線１０２は、いずれか１つの第１の端子１２２が有する第１の接線部１２８に巻き付けられて電気的に接続している。
【０００５】
第２のケース体１３は、第１のケース体１２と向かい合って結合して電子装置のパッケージケース１を構成するものであり、第１のケース体１２と平行するように配置される第２の設置台１３１と、第２の設置台１３１に取り付けられている複数の第２の端子１３２を備えている。第２の設置台１３１は、第１のケース体１２の第１の設置面１２３と向き合って各第２の電子装置１１の第２の磁石リング１１１を設置することができる第２の設置面１３３と、各第２の磁石リング１１１を囲んで収容できると共に、第１のケース体１２が有する第１の周壁１２４を外から囲むように第２の設置面１３３の周縁から延伸する第２の周壁１３４とを有する。また、第２の周壁１３４は、第１の周壁１２４を有する第１の左端壁１２４１と第１の右端壁１２４２とにそれぞれ隣接し、且つ左延伸台１２５１または右延伸台１２５２に向って延伸する第２の左端壁１３４１と第２の右端壁１３４２とを有している。各第２の端子１３２はそれぞれ、第２の周壁１３４が有する第２の左端壁１３４１または第２の右端壁１３４２から突起すると共に、対応の左延伸台１２５１または右延伸台１２５２にある貫通孔１２６をそれぞれ貫通するように取り付けられている。即ち、各第２の端子１３２は、第２の左端壁１３４１または第２の右端壁１３４２に挿し込まれる第２の挿入部１３５と、対応の左延伸台１２５１または右延伸台１２５２と、該対応の左延伸台１２５１または右延伸台１２５２がそれぞれ向っている第２の左端壁１３４１または第２の右端壁１３４２との間に介在して露出している第２の接線部１３６と、左延伸台１２５１または右延伸台１２５２を貫通する第２の貫通部１３７と、第１のケース体１２の第１の接続部１２９と同じく第１の設置面１２３の反対面に露出する第２の接続部１３８を有する。各第２の電子装置１１が有する第２の導線１１２は、いずれか１つの第２の端子１３２が有する第２の接線部１３８に巻き付けられて電気的に接続している。
【０００６】
上記のように構成された従来の電子装置のパッケージケース１は、第１の電子装置１０及び第２の電子装置１１が設置される第１の設置面１２３と第２の設置面１３３とを上下に対面させることによってそれらを収容する空間を節約し、多くの電子装置を収納することができる。しかしその一方、第２のケース体１３に取り付けられる各第２の端子１３２は、第２の左端壁１３４１または第２の右端壁１３４２から突出する部分が、該対応の左延伸台１２５１または右延伸台１２５２がそれぞれ向っている第２の左端壁１３４１または第２の右端壁１３４２との間に介在して露出している第２の接線部１３６と、左延伸台１２５１または右延伸台１２５２を貫通する第２貫通部１３７と、左延伸台１２５１または右延伸台１２５２を貫通してから露出する第２の接続部１３８とを含む一定の長さを有さなければならない。そしてその長さの分だけ第２の導線１１２を巻き付けることに時間や手間が掛かる。
【考案の概要】
【考案が解決しようとする課題】
【０００７】
上記問題点に鑑みて、本考案は便利に組み立てることができる電子装置のパッケージケースの提供を目的とする。
【課題を解決するための手段】
【０００８】
上記目的を達成すべく、本考案は、複数の第１の電子装置を設置することができる第１のケース体と、前記第１のケース体に取り付けられていると共に、複数の第２の電子装置とを設置することができる第２のケース体とを具える電子装置のパッケージケースであって、前記第１のケース体は、第１の設置台と、前記第１の設置台に取り付けられている複数の第１の端子を備えていると共に、前記第１の設置台は、前記複数の第１の電子装置が設置されることができる第１の設置面と、前記第１の設置面の反対側にある第１の接合面と、前記第１の設置面に隣接し、且つ第１の設置面側から前記第１の接合面側へ延伸する各前記第１の端子により貫通されている第１の端子設置部を有しており、前記第２のケース体は、第２の設置台と、前記２の設置台に取り付けられている複数の第２の端子を備えていると共に、前記第２の設置台は、前記第１のケース体が有する前記第１の接合面と向き合う第２の接合面と、前記第２の接合面の反対側にあって前記複数の第２の電子装置が設置されることができる第２の設置面と、前記第２の設置面に隣接し、各前記第１の端子により挿通されていると共に、前記第２の設置面が向かっている側へ延伸する各前記第２の端子が取り付けられている第２の端子設置部とを有していることを特徴とする電子装置のパッケージケースを提供する。
【考案の効果】
【０００９】
上記構成により、本考案は、前記複数の第１の電子装置が設置されることができる第１の設置面と、前記第１の設置面の反対側にある第１の接合面と、前記第１の設置面に隣接し、且つ第１の設置面側から前記第１の接合面側へ延伸する各前記第１の端子により貫通されている第１の端子設置部を有している前記第１の設置台、及び、前記第１のケース体が有する前記第１の接合面と向き合う第２の接合面と、前記第２の接合面の反対側にあって前記複数の第２の電子装置が設置されることができる第２の設置面と、前記第２の設置面に隣接し、各前記第１の端子により挿通されている第２の端子設置部とを有している前記第２の設置台とを備えていることで、前記第１の設置面と第２の設置面とを互いに背向する構造にすることによって、前記第１の設置台に設置される第１の端子における第１の導線と電気的に接続する部分と、前記第２の設置台に設置される第２の端子における第２の導線と電気的に接続する部分とが、いずれも他の部材を挿通する構成を必要としないため短く形成することができるので、組み立てが便利で且つ効率良く仕上げることができる電子装置のパッケージケースを提供することができる。
【図面の簡単な説明】
【００１０】
【図１】従来の電子装置のパッケージケースの構成例が示されている分解図である。
【図２】従来の電子装置のパッケージケースの構成例が示されている断面図である。
【図３】本考案の電子装置のパッケージケースの構成が示されている分解図である。
【図４】本考案の電子装置のパッケージケースの構成が示されている断面図である。
【図５】本考案の電子装置のパッケージケースの構成が示されている断面分解図である。
【考案を実施するための形態】
【００１１】
以下は図３〜５を参照しながら、本考案の電子装置のパッケージケースの好ましい実施形態について詳しく説明する。該電子装置のパッケージケースは、複数の第１の電子装置３を設置することができる第１のケース体５と、第１のケース体５に取り付けられていると共に、複数の第２の電子装置２とを設置することができる第２のケース体４と、第１のケース体５及び第２のケース体４を共に収納する収容手段６を具えている。
【００１２】
この実施形態において、各第１の電子装置３は、第１の磁石リング３１と、第１の磁石リング３１に巻き付けられている第１の導線３２を備え、そして各第２の電子装置２は、第２の磁石リング２１と、第２の磁石リング２１に巻き付けられている第２の導線２２を備えているが、本考案の電子装置のパッケージケースに収容できる電子装置はこれに限らず、まとめて収容する必要があって、且つ同一方向に向って突起する複数の端子に接続する電子装置であれば、本考案の電子装置のパッケージケースに収容して適用することができる。
【００１３】
第１のケース体５は、第１の設置台５１と、第１の設置台５１に取り付けられている複数の第１の端子５２を備えている。なお、第１の設置台５１は、例えばエポキシ樹脂やフェノール樹脂などの電気絶縁材料で作成されたものであり、そして各第１の端子５２は、例えば銅や金など、電気伝導度の高い材料で作成されたものである。
【００１４】
第１の設置台５１は、複数の第１の電子装置３が設置されることができる第１の設置面５１４と、第１の設置面５１４の反対側にある第１の接合面５１３と、第１の設置面５１４に隣接し、且つ、第１の設置面５１４側から第１の接合面５１３側へ延伸する各前記第１の端子５２により貫通されている第１の端子設置部５１２を有する。第１の端子設置部５１２は、第１の設置面５１４が向っている側へ突起して第１の電子装置３を収容する第１の収容空間５１１を囲むように形成されている。更に、第１の設置台５１の第１の端子設置部５１２は、第１の設置面５１４を左右から挟むように配置される第１の左接線面５１５と第１の右接線面５１６とを有する。
【００１５】
複数の第１の端子５２は、第１の左接線面５１５と第２の右接線面５１６とにそれぞれ二列となって該二列が互いに千鳥配列、即ち該二列が互いに交錯して並ぶように（図３参照）第１の左接線面５１５または第１の右接線面５１６から突起するように取り付けられている。各第１の端子５２には、第１の左接続面５１５または第１の右接続面５１６に露出する一端である第１の接線部５２１と、第１の設置台５１の内部を通過する第１の埋設部５２２と、第２のケース体４が有する後述の第２の設置台４１の内部を通過する挿通部５２３と、第２の設置台４１に露出するもう一端である接続部５２４を有する。なお、第１の左接線面５１５と第２の右接線面５１６にある各第１の接線部５２１にはそれぞれ、各第１の電子装置３の２つの第１の導線３２を巻き付けて電気的に接続することができる。
【００１６】
第２のケース体４は、第２の設置台４１と、第２の設置台４１に取り付けられている複数の第２の端子４２を備えている。なお、第２の設置台４１は、第１の設置台５１と同じく電気絶縁材料で作成されたものであり、そして各第２の端子４２は、第１の端子５２と同じく電気伝導度の高い材料で作成されたものである。
【００１７】
第２の設置台４１は、第１のケース体５が有する第１の接合面５１３と向き合う第２の接合面４１３と、第２の接合面４１３の反対側にあって複数の第２の電子装置２が設置されることができる第２の設置面４１４と、第２の設置面４１４に隣接し、各第１の端子５２により挿通されていると共に、第２の設置面４１４が向かっている側へ延伸する各第２の端子４２が取り付けられている第２の端子設置部４１２とを有している。第２のケース体４の第２の設置台４１が有する第２の端子設置部４１２は、第２の設置面４１４が向っている側へ突起して第２の電子装置２を収容する第２の収容空間４１１を囲むように形成されている。更に、第２の設置台４１の第２の端子設置部４１２は、第２の設置面４１４を左右から挟むように配置される第２の左接線面４１５と第２の右接線面４１６とを有する。第２の左接線面４１５と第２の右接線面４１６にはそれぞれ、各第１の端子５２の挿通部５２３に貫通された複数の挿通孔４１７が設けられている。そして各第１の端子５２の接続部５２４は、第２の左接線面４１５と第２の右接線面４１６にある各挿通孔４１７を経由して露出するようになっている。
【００１８】
複数の第２の端子４２は、第２の左接線面４１５と第２の右接線面４１６とにそれぞれ二列となって該二列が互いに千鳥配列になるように第２の左接線面４１５または第２の右接線面４１６から突起するように取り付けられている。各第２の端子４２は、第２の設置台４１の内部に挿し込まれる第２の埋設部４２２と、第２の設置面４１４が向っている側に露出する一端である第２の接線部４２１とを有する。なお、第２の左接線面４１５と第２の右接線面４１６にある各第２の接線部４２１にはそれぞれ、各第２の電子装置２の２つの第２の導線２２を巻き付けて電気的に接続することができる。
【００１９】
収容手段６は、電気絶縁材料で作成されたものであり、そして底板６１と、底板６１の周縁から底板６１の一面側へ突起する包囲壁６２とを有する。第１のケース体５及び第１のケース体５に取り付けられている第２のケース体４は、第１のケース体５の第１の設置面５１４が底板６１に向かい、且つ各第１の端子５２及び第２の端子４２がそれぞれ包囲壁６２が突起する方向に向って延伸するように収容手段６内に収容されている。ちなみに、収容手段６は、包囲壁６２に位置して第２のケース体４の第２設置台４１と着脱可能に係合される係合部（図示せず）を有するように構成することもできる。
【００２０】
以下では、本考案の電子装置のパッケージケースの組み立て工程について詳しく説明する。まず複数の第１の電子装置３の第１の磁石リング３１を、第１のケース体５の第１の設置台５１にある第１の設置面５１４に設置し、各第１の電子装置３の２つの第１の導線３２をそれぞれ、第１の設置台５１を挿通している各第１の端子５２の第１の接線部５２１に巻き付けて電気的に接続させる。一方、第２のケース体４にも、複数の第２の電子装置２の第２の磁石リング２１を、第２の設置台４１にある第２の設置面４１４に設置し、各第２の電子装置２の２つの第２の導線２２をそれぞれ、第２の設置台４１から露出している各第２の端子４２の第２の接線部４２１に巻き付けて電気的に接続させる。次に、各第１の接線部５２１に巻き付けた第１の導線３２の余剰部分を切り取って、はんだ付けにて第１の導線３２を第１の端子５２に固着させる。同様に、各第２の接線部４２１に巻き付けた第２の導線２２の余剰部分を切り取って、はんだ付けにて第２の導線２２を第２の端子２２に固着させる。更に、第１の収容空間５１１及び第２の収容空間４１１内に電気絶縁材料からなる充填剤を注入することによって、第１の設置台５１と第２の設置台４１に取り付けられた各第１の電子装置３と各第２の電子装置２を固定することも可能である。
【００２１】
続いて、第１のケース体５の各第１の端子５２を、第２のケース体４の各挿通孔４１７に合わせて一斉に貫通し、第１のケース体５の第１の接合面５１３と第２のケース体４の第２の接合面４１３を当接させて各第１の端子５２の接続部５２４を第２のケース体４の各挿通孔４１７から突出させる。そして収容手段６で、結合している第１のケース体５と第２のケース体４を囲んで収納し、収容手段６（上述の係合部）と第２のケース体４の第２設置台４１を係合させることで組み立てが完成する。
【００２２】
組み立てが完成した本考案の電子装置のパッケージケースは、電気回路基板（図示せず）などに設置して応用することができる。電子装置のパッケージケースに露出する各接続部５２４と各第２の接線部４２１を電気回路基板に電気的に接続し、はんだ付けで固着する。ちなみに、各第２の電子装置２の第２の導線２２を各第２の端子４２の第２の接線部４２１に巻き付ける際にははんだ付け工程を行わず、替りに、電気回路基板に設置する際にまとめてはんだ付けを行うことも可能である。
【００２３】
上記構成を総括すると、本考案の電子装置のパッケージケースは、第１のケース体５の第１の設置面５１４と第２のケース体４の第２の設置面４１４が互いに背向する構造にすることによって、第１の設置台５１に設置される第１の端子５２における第１の導線３２と電気的に接続する第１の接線部５２１と、第２の設置台４２に設置される第２の端子４２における第２の導線２２と電気的に接続する第２の接線部４２１とは、いずれも他の部材を挿通する構成を必要としないため短く形成することができるので、第１の電子装置３の第１の導線３２を第１の接線部５２１に、そして第２の電子装置２の第２の導線２２を第２の接線部４２１に、素早く巻き付けて設置することができる。
【００２４】
これによって、本考案は従来より組み立てが便利で且つ効率良く仕上げることができる電子装置のパッケージケースを提供することができる。
【００２５】
以上、本考案の好ましい実施形態を説明したが、本考案はこれに限定されるものではなく、その要旨を逸脱しない範囲で種々変更可能である。
【産業上の利用可能性】
【００２６】
上記構成により、本考案の電子装置のパッケージケースは、第１のケース体５の第１の設置面５１４と第２のケース体４の第２の設置面４１４とを互いに背向する構造にすることによって、第１の設置台５１に設置される第１の端子５２における第１の導線３２と電気的に接続する第１の接線部５２１と、第２の設置台４１に設置される第２の端子４２における第２の導線２２と電気的に接続する第２の接線部４２１とが、いずれも他の部材を挿通する構成を必要としないため短く形成することができる。これにより、第１の電子装置３の第１の導線３２を第１の接線部５２１に、そして第２の電子装置２の第２の導線２２を第２の接線部４２１に、素早く巻き付けて設置することができるので、組み立てが便利で且つ効率良く仕上げることができ、生産効率が向上した電子装置のパッケージケースを提供することができ、特に電気回路基板（図示せず）などに設置される複数の電子装置をまとめて収容するパッケージケースとして用いることができる。
【符号の説明】
【００２７】
２      第２の電子装置
２１    第２の磁石リング 
２２    第２の導線
３      第１の電子装置
３１    第１の磁石リング 
３２    第１の導線
４      第２のケース体
４１    第２の設置台
４１２  第２の端子設置部
４１３  第２の接合面
４１４  第２の設置面
４１５  第２の左接続面
４１６  第２の右接続面
４１７  挿通孔
４２    第２の端子
４２１  第２の接線部
４２２  第２の埋設部
５      第１のケース体
５１    第１の設置台
５１２  第１の端子設置部
５１３  第１の接合面
５１４  第１の設置面
５１５  第１の左接続面
５１６  第１の右接続面
５２    第１の端子
５２１  第１の接線部
５２２  第１の埋設部
５２３  挿通部
５２４  接続部
６      収容手段
６１    底板
６２    包囲壁
【図１】
0003198003.tif 000003
【図２】
0003198003.tif 000004
【図３】
0003198003.tif 000005
【図４】
0003198003.tif 000006
【図５】
0003198003.tif 000007